(57)【要約】【課題】送信装置を識別することで、ネットワークの計画と最適化を改善する。【解決手段】  送信装置は、直交周波数分割多重（ＯＦＤＭ）シンボルを用いてペイロードデータを送信し、前記送信されるペイロードデータを受信し、受信装置において前記ペイロードデータを検出及び復元するために使用されるシグナリング情報を受信し、前記シグナリング情報を送信用の複数のフレームに対するプリアンブルとして用いて前記ペイロードデータをフレーム化するように構成されたフレームビルダ回路を含む。変調回路は、前記シグナリング情報を用いて１つ以上の第１のＯＦＤＭシンボルを変調して各フレームの前記プリアンブルを形成し、前記ペイロードデータを用いて１つ以上の第２のＯＦＤＭシンボルを変調して各フレームのポストプリアンブル波形を形成するように構成される。送信回路は、プリアンブルとしての前記１つ以上の第１のＯＦＤＭシンボル及び前記ポストプリアンブル波形としての前記１つ以上の第２のＯＦＤＭシンボルを送信するように構成される。前記送信装置は、受信装置に対する送信装置を識別する一連の所定の識別子の１つを表す一連のシグネチャ系列の１つである送信装置識別シグネチャ系列を提供するように構成されたシグネチャ系列回路と、上記送信装置識別シグネチャ系列を上記プリアンブルの１つ以上の上記第１のＯＦＤＭシンボル又は上記送信装置識別子を伝送するための上記プリアンブルの１つ以上の追加のＯＦＤＭシンボルに結合するように構成された結合回路とを含む。したがって、受信装置は、上記プリアンブルの上記１つ以上の第１のＯＦＤＭシンボル又は上記送信装置識別子を伝送するための上記プリアンブルの１つ以上の追加のＯＦＤＭシンボルを識別し、上記送信装置識別子に基づいて上記受信信号の上記送信装置を識別するように構成することができる。【選択図】図１３ａ及び図１３ｂ
2019506810.tif 000002
【特許請求の範囲】
【請求項１】
直交周波数分割多重（ＯＦＤＭ）シンボルを用いてペイロードデータを送信する送信装置であって、
前記送信されるペイロードデータ受信し、受信装置において前記ペイロードデータを検出及び復元するために使用されるシグナリング情報を受信し、前記シグナリング情報を送信用の複数のフレームに対するプリアンブルとして用いて前記ペイロードデータをフレーム化するように構成されたフレームビルダ回路と、
前記シグナリング情報を用いて１つ以上の第１のＯＦＤＭシンボルを変調して各フレームの前記プリアンブルを形成し、前記ペイロードデータを用いて１つ以上の第２のＯＦＤＭシンボルを変調して各フレームのポストプリアンブル波形を形成するように構成された変調回路と、
プリアンブルとしての前記１つ以上の第１のＯＦＤＭシンボル及び前記ポストプリアンブル波形としての前記１つ以上の第２のＯＦＤＭシンボルを送信するための送信回路と、
を具備し、前記送信装置は、
受信装置に対する送信装置を識別する一連の所定の識別子の１つを表す一連のシグネチャ系列の１つである送信装置識別シグネチャ系列を提供するように構成されたシグネチャ系列回路と、
前記送信装置識別シグネチャ系列を前記１つ以上の第１のＯＦＤＭシンボルに結合するように構成された結合回路と、
を含む
送信装置。
【請求項２】
請求項１に記載の送信装置であって、
前記送信装置識別シグネチャ系列は、前記１つ以上の第１のＯＦＤＭシンボルに重畳される
送信装置。
【請求項３】
請求項２に記載の送信装置であって、
前記送信装置は、前記受信装置において、前記プリアンブルの前記第１のＯＦＤＭシンボルから第２のシグナリング情報を検出及び復元するために使用される第１のシグナリング情報を伝送するように構成された１つ以上のブートストラップＯＦＤＭシンボルを含むブートストラップ信号を生成するように構成されたブートストラップビルダ回路を具備し、
前記送信回路は、前記プリアンブルの前記１つ以上の第１のＯＦＤＭシンボル及び前記第２のＯＦＤＭシンボルの前に、前記１つ以上のブートストラップＯＦＤＭシンボルを送信するように構成され、
前記送信装置識別シグネチャ系列を重畳した前記１つ以上の第１のＯＦＤＭシンボルは、前記ブートストラップＯＦＤＭシンボルの終わりの直後に続く
送信装置。
【請求項４】
請求項３に記載の送信装置であって、
前記送信装置識別シグネチャ系列を重畳した前記１つ以上の第１のＯＦＤＭシンボルは、前記１つ以上の第１のＯＦＤＭシンボルの時間的に第１のプリアンブルシンボルが送信装置識別シグネチャを重畳したとき、最後のブートストラップシンボルの終わりの位相の再反転により通知される
送信装置。
【請求項５】
請求項１に記載の送信装置であって、
前記結合回路は、前記送信装置識別シグネチャ系列を伝送する前記１つ以上の第１のＯＦＤＭシンボルが電力比Ｑに寄与し、前記１つ以上の第１のＯＦＤＭシンボルが（１−Ｑ）に寄与するような注入レベルＱで、前記送信装置識別シグネチャ系列を伝送する前記プリアンブルの前記１つ以上の第１のＯＦＤＭシンボルに前記送信装置識別シグネチャ系列を重畳するように構成される
送信装置。
【請求項６】
請求項５に記載の送信装置であって、
前記電力比Ｑは、実質的にゼロに近い
送信装置。
【請求項７】
請求項１〜６のいずれか１項に記載の送信装置であって、
前記送信装置識別シグネチャ系列は、ゴールド系列を選択することにより生成され、前記送信装置を識別する
送信装置。
【請求項８】
請求項７に記載の送信装置であって、
前記ゴールド系列は、２つの多項式により定義される２つのシフトレジスタにより生成され、それらの出力は、送信装置を識別するバイナリ値でＸＯＲされて初期化される
送信装置。
【請求項９】
請求項７又は８に記載の送信装置であって、
前記ゴールド系列は、前記１つ以上の第１のＯＦＤＭシンボルに重畳するために、バイポーラ形式に構成される
送信装置。
【請求項１０】
請求項２に記載の送信装置であって、
前記送信装置識別シグネチャ系列は、８ＫのＦＦＴＯＦＤＭシンボルに重畳される
送信装置。
【請求項１１】
受信信号から信号の送信装置の識別情報を検出するための受信装置であって、
ペイロードデータ及びシグナリング情報を含む前記受信信号を検出するように構成された検出回路であって、前記シグナリング情報は、前記ペイロードデータを検出及び復元するために使用され、前記シグナリング情報及び前記ペイロードデータは、前記受信信号においてフレームを構成し、前記各フレームにおける前記シグナリング情報は、１つ以上の第１の直交周波数分割多重ＯＦＤＭシンボルによって伝送され、前記ペイロードデータは、１つ以上の第２のＯＦＤＭシンボルによって伝送され、前記１つ以上の第１のＯＦＤＭシンボルは、前記１つ以上の第２のＯＦＤＭシンボルのプリアンブルを構成し、前記１つ以上の第１のＯＦＤＭシンボルには、送信装置識別シグネチャ系列が重畳される検出回路と、
前記送信装置識別シグネチャ系列を伝送する前記１つ以上の第１のＯＦＤＭシンボルを識別するように構成された制御回路と、
前記受信信号を送信した可能性がある送信装置の識別子に関連付けられた複数のシグネチャ系列を提供するように構成されたデータ記憶部と、
前記送信装置識別シグネチャ系列が重畳されている前記識別された１つ以上の第１のＯＦＤＭシンボルと、前記データ記憶部からの前記複数のシグネチャ系列とを比較し、前記受信信号を送信した前記送信装置を示す前記送信装置識別シグネチャ系列を識別することができる前記比較を表す出力信号を生成するように構成されたシグネチャ系列検出回路と
を具備する
受信装置。
【請求項１２】
請求項１１に記載の受信装置であって、
シグネチャ系列マッチドフィルタ回路とピーク処理回路とをさらに具備し、
前記データ記憶部は、時間領域バージョンの前記複数のシグネチャ系列を記憶するように構成され、
前記制御回路は、前記シグネチャ系列マッチドフィルタ回路を構成して、前記１つ以上の第１のＯＦＤＭシンボルと前記データ記憶部からの前記複数のシグネチャ系列とを相関させ、前記相関を表す前記出力信号を生成し、
前記ピーク処理回路は、マッチドフィルタが前記送信装置によって送信されたものと同一の送信装置識別シグネチャ系列で構成されるとき、前記マッチドフィルタの出力におけるピークの存在を検出するように構成される
受信装置。
【請求項１３】
請求項１１に記載の受信装置であって、
フーリエ変換回路と検証回路とをさらに具備し、
前記データ記憶部は、周波数領域バージョンの前記複数のシグネチャ系列を記憶するように構成され、
前記制御回路は、前記フーリエ変換回路を制御して、前記１つ以上の第１のＯＦＤＭシンボルを周波数領域に変換させるように構成され、
前記検証回路は、前記１つ以上の第１のＯＦＤＭシンボルと前記周波数領域における前記データ記憶部からの前記複数のシグネチャ系列とを相関させることで前記出力信号を生成し、前記出力信号のピークから前記送信装置識別子を検出することができるように前記出力信号を生成するように構成される
受信装置。
【請求項１４】
請求項１３に記載の受信装置であって、
除算回路をさらに具備し、
前記制御回路は、前記検証回路を制御して、前記周波数領域における前記１つ以上の第１のＯＦＤＭシンボルを表す第２の出力信号を前記除算回路に提供させるように構成され、
前記除算回路は、前記送信装置の識別シグネチャ系列を受信し、前記１つ以上の第１のＯＦＤＭシンボルのうちの１つを前記検証回路により識別される前記送信装置識別子系列で除算して、前記送信装置から前記受信装置への前記チャネルのチャネル伝達関数の表現を生成するように構成される
受信装置。
【請求項１５】
請求項１４に記載の受信装置であって、
前記除算回路からの前記チャネル伝達関数を表す信号を受信し、前記受信信号における前記チャネルの影響を除去するための前記チャネル伝達関数を表す前記信号の逆フーリエ変換からのチャネルインパルス応答の表現を生成するように構成された逆フーリエ変換回路をさらに具備する
受信装置。
【請求項１６】
直交周波数分割多重（ＯＦＤＭ）シンボルを用いてペイロードデータを送信する送信方法であって、
前記送信されるペイロードデータ受信し、
受信装置において前記ペイロードデータを検出及び復元するために使用されるシグナリング情報を受信し、
前記シグナリング情報を送信用の複数のフレームに対するプリアンブルとして用いて前記ペイロードデータをフレーム化し、
前記シグナリング情報を用いて１つ以上の第１のＯＦＤＭシンボルを変調して各フレームの前記プリアンブルを形成し、
前記ペイロードデータを用いて１つ以上の第２のＯＦＤＭシンボルを変調して各フレームのポストプリアンブル波形を形成し、
プリアンブルとしての前記１つ以上の第１のＯＦＤＭシンボル及び前記ポストプリアンブル波形としての前記１つ以上の第２のＯＦＤＭシンボルを送信し、
前記送信は、
受信装置に対する送信装置を識別する一連の所定の識別子の１つを表す一連のシグネチャ系列の１つである送信装置識別シグネチャ系列を提供すること、及び
前記送信装置識別シグネチャ系列を前記プリアンブルの前記１つ以上の第１のＯＦＤＭシンボルに結合すること
を含む
送信方法。
【請求項１７】
受信信号から信号の送信装置を検出する検出方法であって、
ペイロードデータ及びシグナリング情報を含む前記受信信号を検出し、前記シグナリング情報は、前記ペイロードデータを検出及び復元するために使用され、前記シグナリング情報及び前記ペイロードデータは、前記受信信号においてフレームを構成し、前記各フレームにおける前記シグナリング情報は、１つ以上の第１の直交周波数分割多重ＯＦＤＭシンボルによって伝送され、前記ペイロードデータは、１つ以上の第２のＯＦＤＭシンボルによって伝送され、前記１つ以上の第１のＯＦＤＭシンボルは、前記１つ以上の第２のＯＦＤＭシンボルのプリアンブルを構成し、前記１つ以上の第１のＯＦＤＭシンボルは、送信装置識別シグネチャ系列による送信の前に結合され、
前記送信装置識別シグネチャ系列を重畳した前記１つ以上の第１のＯＦＤＭシンボルを識別し、
前記受信信号を送信した可能性がある送信装置の識別子に関連付けられた複数のシグネチャ系列を提供し、
前記送信装置識別シグネチャ系列に重畳された前記１つ以上の第１のＯＦＤＭシンボルと、前記複数のシグネチャ系列とを比較し、
前記受信信号を送信した前記送信装置を示す前記送信装置識別シグネチャ系列を識別することができる前記比較を表す出力信号を生成する
検出方法。
【請求項１８】
請求項１６に記載の送信方法であって、
前記複数のシグネチャ系列を提供することは、
時間領域バージョンの前記複数のシグネチャ系列を提供することを含み、
前記送信装置識別シグネチャ系列が重畳されたと識別された前記１つ以上の第１のＯＦＤＭシンボルと前記複数のシグネチャ系列とを比較することは、
前記１つ以上の第１のＯＦＤＭシンボルと前記データ記憶部からの前記複数のシグネチャ系列とを相関させ、前記相関を表す前記出力信号を生成すること、及び
前記送信装置識別シグネチャ系列によって生成された前記出力信号のピークから前記送信装置識別シグネチャ系列を検出すること
を含む
送信方法。
【請求項１９】
請求項１８に記載の送信方法であって、
前記複数のシグネチャ系列を提供することは、
周波数領域バージョンの前記複数のシグネチャ系列を提供することを含み、
前記送信装置識別シグネチャ系列が重畳されたと識別された前記１つ以上の第１のＯＦＤＭシンボルと前記複数のシグネチャ系列とを比較することは、
順方向フーリエ変換を行って前記１つ以上の第１のＯＦＤＭシンボル又は前記送信装置識別シグネチャ系列に結合されたと識別された前記第１のＯＦＤＭシンボルを周波数領域に変換すること、及び
前記１つ以上の第１のＯＦＤＭシンボルと、前記周波数領域における前記データ記憶部からの前記複数のシグネチャ系列とを相関させ、前記出力信号のピークから前記送信装置識別子を検出することができる前記出力信号を生成すること
を含む
送信方法。
【請求項２０】
コンピュータ実行可能命令を提供するコンピュータプログラムであって、前記コンピュータ実行可能命令は、コンピュータにロードされると、前記コンピュータに請求項１６、１７、又は１８のいずれか１項に記載の方法を実行させるコンピュータプログラム。
【請求項２１】
プリアンブルＯＦＤＭシンボルから送信装置識別シグネチャ系列を復元し、前記送信装置識別シグネチャ系列から識別される送信装置を導出するように構成された受信装置であって、前記送信装置識別シグネチャ系列は、請求項１に記載の送信装置により送信される受信装置。
【発明の詳細な説明】
【技術分野】
【０００１】
本開示は、送信装置、受信装置、及び直交周波数分割多重（ＯＦＤＭ）シンボルを用いてペイロードデータを送受信する方法に関する。
【背景技術】
【０００２】
本出願は２０１６年２月１２日に出願された英国特許出願第１６０２５８７号のパリ条約に基づく優先権を主張するものであり、その内容の全体が参照により本明細書に援用される。
【０００３】
直交周波数分割多重方式（ＯＦＤＭ）を用いてデータ通信を行う無線通信システムについての多くの例がある。例えば、デジタルビデオブロードキャスティング（ＤＶＢ）規格に従って動作するように構成されたテレビジョンシステムは、地上伝送及びケーブル伝送のためにＯＦＤＭを使用する。ＯＦＤＭは、一般に、並列に変調されるＫ個の狭帯域サブキャリア（ただし、Ｋは整数）を提供するものとして説明することができる。各サブキャリアは、直交振幅変調（ＱＡＭ）シンボルや直交位相シフトキーイング（ＱＰＳＫ）シンボル等の変調されたデータシンボルの通信を行う。サブキャリアは、周波数領域で変調され、時間領域に変換して送信される。データシンボルはサブキャリア上で並列に通信されるので、各サブキャリア上で同じ変調シンボルを長時間通信することができる。サブキャリアは同時に並列に変調され、その結果、変調されたキャリアは共同してＯＦＤＭシンボルを構成する。したがって、ＯＦＤＭシンボルは複数のサブキャリアを含み、各サブキャリアはそれぞれ同時に変調され、異なる変調シンボルを有する。送信中、ＯＦＤＭシンボルのサイクリックプレフィックスを挿入されたガードインターバルが、ＯＦＤＭシンボルに先行する。ガードインターバルは、存在する場合、マルチパスにより生じる可能性がある送信信号のあらゆるエコーを吸収するような期間となるように設けられる。
【発明の概要】
【発明が解決しようとする課題】
【０００４】
テレビジョン信号の受信及び復元を改善するために、テレビジョン信号の送信装置を識別することが望ましい場合がある。送信装置を識別することで、ネットワークの計画と最適化を改善することができる。受信装置に対して送信装置を効率的に識別することは、技術的問題を引き起こすおそれがある。
【課題を解決するための手段】
【０００５】
添付の特許請求の範囲において、本開示の様々なさらなる態様及び実施形態が提供され、ペイロードデータを送信するための送信装置及び受信信号の送信装置を検出するための受信装置が含まれる。
【０００６】
一実施形態によれば、送信装置は、直交周波数分割多重（ＯＦＤＭ）シンボルを用いてペイロードデータを送信するように構成される。上記送信装置は、上記送信されるペイロードデータ受信し、受信装置において上記ペイロードデータを検出及び復元するために使用されるシグナリング情報を受信し、上記シグナリング情報を送信用の複数のフレームに対するプリアンブルとして用いて上記ペイロードデータをフレーム化するように構成されたフレームビルダ回路を含む。変調回路は、上記シグナリング情報を用いて１つ以上の第１のＯＦＤＭシンボルを変調して各フレームの上記プリアンブルを形成し、上記ペイロードデータを用いて１つ以上の第２のＯＦＤＭシンボルを変調して各フレームのポストプリアンブル波形を形成するように構成される。送信回路は、プリアンブルとしての上記１つ以上の第１のＯＦＤＭシンボル及び上記ポストプリアンブル波形としての上記１つ以上の第２のＯＦＤＭシンボルを送信するように構成される。上記送信装置は、受信装置に対する送信装置を識別する一連の所定の識別子の１つを表す一連のシグネチャ系列の１つである送信装置識別シグネチャ系列を提供するように構成されたシグネチャ系列回路と、上記送信装置識別シグネチャ系列を上記プリアンブルの１つ以上の上記第１のＯＦＤＭシンボル又は上記送信装置識別子を伝送するための上記プリアンブルの１つ以上の追加のＯＦＤＭシンボルに結合するように構成された結合回路とを含む。
【０００７】
本技術の諸実施形態によれば、送信装置は、テレビジョン信号等の信号を送信することができ、受信装置は、上記信号に基づいて上記信号を送信した送信装置を識別することができる。上記送信装置は、上記プリアンブルの１つ以上の上記第１のＯＦＤＭシンボル又は上記プリアンブルの１つ以上の追加のＯＦＤＭシンボルに送信装置シグネチャ系列を結合するように構成される。本技術の諸実施形態によれば、受信装置は、上記プリアンブルの上記１つ以上の第１のＯＦＤＭシンボル又は上記送信装置識別シグネチャ系列を伝送するための上記１つ以上の追加のＯＦＤＭシンボルを識別し、上記送信装置識別シグネチャ系列に基づいて上記受信信号の上記送信装置を識別するように構成することができる。
【０００８】
本技術の諸実施形態によれば、受信装置は、上記プリアンブルの上記第１のＯＦＤＭシンボルのうちの１つ又は上記ブートストラップＯＦＤＭシンボルのうちの１つにおいて送信された上記シグネチャ系列を検出することにより、上記信号を送信した上記送信装置の識別子を検出するように構成することができる。
【０００９】
本開示は、参照によりその内容の全体が本明細書に援用される同時係属中の特許出願第ＰＣＴ／ＧＢ２０１４／０５０８６９号、ＧＢ１３０５８０５．２号、ＰＣＴ／ＧＢ２０１４／０５０８６８号、ＧＢ１３０５７９７．１号、ＧＢ１３０５７９９．７号、１４／２２６９３７号、ＰＣＴ／ＧＢ２０１４／０５０８７０号、ＧＢ１３０５７９５．５号、ＰＣＴ／ＧＢ２０１４／０５０９５４号、ＧＢ１３１２０４８．０号、ＧＢ１０３１２１５７０号、ＰＣＴ／ＧＢ２０１４／０５１６７９号、ＧＢ１３１７０７０６．９号、ＰＣＴ／ＥＰ２０１４／０６１４６７号、ＧＢ１４０３３９２．２号、ＧＢ１４０５０３７．１号、ＧＢ１０３１２１５６８号、ＰＣＴ／ＧＢ２０１４／０５１９２２号、及びＧＢ１４２０１１７．２によって支持される。
【００１０】
添付の特許請求の範囲において、本開示の様々なさらなる態様及び特徴が定義され、ペイロードデータを送信する方法、受信装置、及びペイロードデータを検出及び復元する方法が含まれる。
【図面の簡単な説明】
【００１１】
【図１】図１は、ブロードキャスト送信ネットワークの構成を示す概略図である。
【図２】図２は、図１の送信ネットワークを介してブロードキャストデータを送信するための例示的な送信チェーンを示す概略ブロック図である。
【図３】図３は、ガードインターバルを含む時間領域におけるＯＦＤＭシンボルを示す概略図である。
【図４】図４は、ＯＦＤＭを使用して図１のブロードキャスト送信ネットワークによってブロードキャストされたデータを受信するための典型的な受信装置を示す概略ブロック図である。
【図５】図５は、シグナリング情報を有するプリアンブルによって分離されたブロードキャストデータ及びペイロードデータを送信するための送信フレームのシーケンスを示す概略図である。
【図６】図６は、図５に示す送信フレームのうちの１つのプリアンブルを示す概略図であり、当該プリアンブルは、いわゆる「ブートストラップ」信号又は複数のＯＦＤＭシンボルからなる波形を含む。
【図７】図７は、複数のブートストラップＯＦＤＭシンボルを含むブートストラップ信号を送信するための図２に示す送信装置の一部を示す概略ブロック図である。
【図８】図８は、周波数領域におけるブートストラップＯＦＤＭシンボルを示す概略図である。
【図９】図９は、時間領域シンボル系列を巡回的にシフトすることで、１つ以上の上記ブートストラップＯＦＤＭシンボル上で伝送されるシグナリング情報をインプリントする際の送信装置の動作を表す例示的なフロー図である。
【図１０】図１０は、第１のブートストラップＯＦＤＭシンボルの時間領域構造を示す概略図である。
【図１１】図１１は、１つ以上の他のブートストラップＯＦＤＭシンボルの第２の時間領域構造を示す概略図である。
【図１２】図１２は、送信されたテレビジョン信号がブートストラップ信号の一部を構成するブートストラップＯＦＤＭシンボルによって伝送される送信装置識別子（ＴｘＩＤ）の指示を含む本技術の一実施形態の概略ブロック図である。
【図１３ａ】図１３ａは、送信されたテレビジョン信号が信号フレームのプリアンブルの第１のＯＦＤＭシンボルにより伝送されるシグネチャ系列で表される送信装置識別子（ＴｘＩＤ）の指示を含む本技術の一実施形態の概略ブロック図である。
【図１３ｂ】図１３ｂは、送信されたテレビジョン信号が信号フレームのプリアンブルの最後のＯＦＤＭシンボルにより伝送されるシグネチャ系列で表される送信装置識別子（ＴｘＩＤ）の指示を含む本技術の一実施形態の概略ブロック図である。
【図１４】図１４は、テレビジョン信号を送信する送信装置の一部を表す概略ブロック図であり、送信装置識別子を表すシグネチャ系列を伝送するＯＦＤＭシンボルの生成を示す。
【図１５】図１５は、その出力系列が送信装置識別子を伝送するために使用されるシグネチャ系列の一部を構成するゴールド系列生成部を表す概略ブロック図である。
【図１６】図１６は、上記第１のブートストラップＯＦＤＭシンボルを検出するための受信装置の一例を示す概略ブロック図であり、当該受信装置は、本技術に係るシグナリング情報を復元するための結合ブートストラップ信号プロセッサを含む。
【図１７】図１７は、図１６に示すブートストラッププロセッサ／デコーダの一部を示す概略ブロック図であり、当該ブートストラッププロセッサ／デコーダは、ブートストラップシンボルによって伝送されるシグナリングの表現としてのブートストラップシンボルに適用される巡回シフトを推定して、本技術に従って送信装置識別子を検出するように構成される。
【図１８】図１８は、サンプル番号に対する振幅のグラフプロットを示す図であり、ピークサンプルのサンプル番号は、送信中のシグナリングに従って送信装置においてブートストラップシンボルに適用された巡回シフトを表す。
【図１９】図１９は、サンプル番号に対する振幅のグラフプロットの第２の例を示す図であり、各ピークサンプルのサンプル番号は、各重畳送信装置によってブートストラップ信号において送信された送信装置識別子に従って、２つの重畳信号の電力に寄与する各送信装置によって送信装置においてブートストラップシンボルに適用された巡回シフトによって表される送信装置識別子を表す。
【図２０】図２０は、時間領域においてプリアンブル信号の１つ以上のＯＦＤＭシンボルによって伝送されるシグネチャ系列によって表される送信装置識別子を検出するための受信装置の一部を示す概略ブロック図である。
【図２１】図２１は、周波数領域においてプリアンブル信号の１つ以上のＯＦＤＭシンボルによって伝送されるシグネチャ系列によって表される送信装置識別子を検出するための受信装置の一部を示す概略ブロック図である。
【発明を実施するための形態】
【００１２】
以下、添付の図面を参照しながら、一例として本開示の実施形態を説明する。各図において、同様の部分には、対応する参照符号を付する。
【００１３】
テレビジョン放送システムの一例を図１に示す。図１に示す放送送信装置１は、ヘッドエンド／テレビジョンソースステーション２に接続されている。放送送信装置１は、放送ネットワークのカバーエリア内のテレビジョンソースステーション２からの信号を送信する。図１に示すテレビジョン放送ネットワークは、いわゆるマルチ周波数ネットワークとして動作することができる。マルチ周波数ネットワークでは、各テレビジョン放送送信装置１が、他の隣接するテレビジョン放送送信装置１の周波数とは異なる周波数でそれぞれ信号を送信する。図１に示すテレビジョン放送ネットワークは、いわゆる単一周波数ネットワークとして動作することもできる。単一周波数ネットワークでは、放送ネットワークのカバーエリア内のテレビジョン受信装置４及びモバイル装置６が受信できるように、各テレビジョン放送送信装置１が音声／映像データを同時に伝送する無線信号を送信する。図１に示す例では、放送送信装置１から送信される信号は、直交周波数分割多重方式（ＯＦＤＭ）を用いて送信され、これにより、異なる基地局１から信号が送信されたとしても、各放送局２からテレビジョン受信装置が合成可能な同一の信号を送信するように構成することができる。放送送信装置１同士の間隔が、異なる放送送信装置１によって送信される信号間の伝播時間が各ＯＦＤＭシンボルの送信に先行するガードインターバルより短いか、又は実質的に超えないようなものである場合、受信装置４及びモバイル装置６は、ＯＦＤＭシンボルを受信することができ、さらに、異なる放送送信装置１から送信された信号を合成することにより、当該ＯＦＤＭシンボルからデータを復元することができる。このようにＯＦＤＭを採用する放送ネットワークの規格の例としては、ＤＶＢ−Ｔ、ＤＶＢ−Ｔ２、ＩＳＤＢ−Ｔ、及びＡＴＳＣ３．０が挙げられる。
【００１４】
テレビジョン受信装置は、テレビジョン画像用の統合ディスプレイを含んでも含まなくてもよく、複数のチューナ及び復調部を含むレコーダ装置であってもよい。アンテナは、テレビジョン受信装置に内蔵されていてもよい。接続又は内蔵されたアンテナを用いて、異なる信号及びテレビジョン信号の受信を容易にすることができる。したがって、本開示の実施形態は、異なる環境における異なる種類の装置に対して、テレビ番組を表す音声／映像データの受信を容易にするように構成される。
【００１５】
移動中にモバイル装置でテレビジョン信号を受信することは、より困難となる可能性があることが理解されよう。これは、無線受信状態が、固定アンテナから入力を行う従来のテレビジョン受信装置のものと著しく異なるものとなるためである。
【００１６】
本技術の実施形態によれば、受信装置が受信したテレビジョン信号に基づいて、テレビジョン信号を送信した放送送信装置を識別する構成が提供される。図１に示す例示的なテレビジョンネットワークについて説明したように、現代のテレビジョンネットワークは、カバレッジとスペクトル効率を最大にするために、単一周波数ネットワーク（ＳＦＮ）を導入している。ＳＦＮにおいて、全ての放送送信装置１が、同一の送信周波数により同一の番組を送信する。したがって、典型的には、複数の送信装置１が、ネットワークのカバーエリア内の任意の場所における受信信号電力に寄与する。このような複数の放送送信装置１が電力に寄与する領域に位置する受信装置４は、マルチパスとして他の放送送信装置の寄与を見る。ＯＦＤＭでは、このようなマルチパスを空間的多様性として利用することでカバレッジを改善することができ、これはいわゆるＳＦＮ合成ゲインである。
【００１７】
このようなネットワークでは、ＤＴＴＶシステムのカバーエリア内の特定の場所で観察される電波密度にどの放送送信装置１が寄与しているかを正確に識別できる必要があることが多い。本技術の実施形態によれば、テレビジョン信号が放送送信装置においてシグナリング情報を含むように適用される構成が提供される。当該シグナリング情報は、テレビジョン信号を送信した送信基地局の識別子を含んでもよい。送信装置識別情報、すなわち、ＴｘＩＤは間欠的にしか必要とされないので、その存在をどうにかして受信装置４に知らせなければならない。必要でないときは、送信電力及び／又は容量等のネットワークリソースを節約するためにオフにされる。
【００１８】
送信装置を識別できることは、様々な理由から重要である。
・受信アンテナは、共に最も安定した信号を提供する放送送信装置１の方向に向けることができる。例えば、ＳＦＮネットワークにおける受信装置は、受信装置及びガードインターバルが対処できる範囲よりも著しく長いマルチパス遅延拡散をともにもたらす近くにある放送送信装置と非常に遠くにある放送送信装置との間の自己干渉を受けることがある。このような放送送信装置を識別する場合、そのような過度の遅延拡散の影響を最小にするような方向に受信アンテナを向けることができる。
・ＳＦＮ放送送信装置は、時間的にも周波数的にも、相互に正確に同期しなければならない。時間同期又は周波数同期にドリフトが生じている放送送信装置は、ネットワーク内において干渉を引き起こす。問題となっている放送送信装置を迅速に識別できることは、ドリフトを修正するための重要な前提条件である。
・ネットワーク設計において、ネットワークオペレータは、放送送信装置のエネルギーを主に特定の方向に向けることを望む場合がある。放送送信装置アンテナ素子の位相調整により行われる。この位相調整中に、送信装置を識別して、特定の放送送信装置からの電力が当該電力が確認されるべきでない場所で過度に確認されないことを確実にする。
・受信装置が受信信号を送信した全ての放送送信装置を識別できる場合、受信装置は、放送送信装置の正確な座標を確認するために、ＴｘＩＤと放送送信装置位置のデータベースとを相互参照することができる。受信装置が送信装置から信号が送信された時刻も知っている場合、受信装置は、各放送送信装置からの信号の到達時刻を導出することができるので、受信装置自身と各放送基地局との間の伝播時間を推定することができる。受信装置は、３つ以上の送信基地局の伝播時間推定値及び座標を用いて、三角測量によりその一の良好な推定値を導出することができる。この能力は、特に、モバイル受信装置にとって非常に有用なものとなるであろう。
【００１９】
送信装置を識別することは、同様の理由で、マルチ周波数ネットワーク（ＭＦＮ）においても有用である。
【００２０】
本技術の例示的な実施形態によれば、以下の例に係るシグナリング情報として送信装置識別子（ＴｘＩＤ）を送信する構成が提供される。
・ＴｘＩＤを伝送するために第５のブートストラップシンボルを追加する。全ての送信装置はＴｘＩＤシグナリングのためにこのシンボルを使用することになるため、本技術の実施形態は、ＴｘＩＤを検出するための特別な受信装置アルゴリズムを含むことができる。
・特別に設計されたＯＦＤＭシンボルは、ゴールド系列＝変調Ｚａｄｏｆｆ−Ｃｈｕ系列等のシグネチャ系列を伝送し、使用する系列の選択により、放送送信装置のＴｘＩＤが通知される。これは、各放送送信装置からの信号の受信装置におけるチャネルインパルス応答及び到達時刻（ＴｏＡ）を受信装置に提供することもできるという点で有利である。
【００２１】
本技術の他の実施形態によれば、ＴｘＩＤシンボルを位置付けるための受信装置における構成が提供される。
【００２２】
以下のセクションでは、例示的な実施形態が適用されるテレビジョン信号を送受信する送信装置及び受信装置の構成について説明する。
【００２３】
送信装置
音声／ビデオソースからデータを送信するためのテレビジョン放送送信装置１の一部を構成する送信装置の例示的なブロック図を図２に示す。図２において、音声／ビデオソース２０は、テレビ番組を表す音声／映像データを生成する。音声／映像データは、符号化／インターリーバブロック２２により、順方向誤り訂正符号化を利用して符号化される。符号化／インターリーバブロック２２は、順方向誤り訂正を適用してデータを符号化し、当該データは、その後、変調部２４に供給される。変調部２４は、符号化されたデータを、ＯＦＤＭシンボルを変調するために使用される変調シンボルにマッピングする。他の下段のブロックに描かれているように、例えば、音声／映像データの符号化及び変調の形式を示す物理層シグナリングを提供するシグナリング情報は、物理層シグナリング部３０で生成され、符号化部３２で符号化される。その後、当該物理層シグナリング情報は、音声／映像データと同様に、変調部２４で変調される。
【００２４】
フレームビルダ２６は、物理層シグナリング情報とともに送信されるデータを送信用フレームにフレーム化するように構成される。フレームは、物理層シグナリングを送信するプリアンブルを有する時分割区間と、音声／ビデオソース２０によって生成された音声／映像データを送信する１つ以上のデータ送信区間とを含む。インターリーバ３４は、ＯＦＤＭシンボルビルダ３６及びＯＦＤＭ変調部３８によって送信用シンボルにシンボル化されたデータをインターリーブすることができる。ＯＦＤＭシンボルビルダ３６は、パイロット及び埋め込みデータ生成部４０で生成されたパイロット信号を受信し、受信したＯＦＤＭシンボル  を送信する。ＯＦＤＭ変調部３８の出力は、ガードインターバルを挿入するガード挿入部４２に渡される。得られた信号は、デジタル／アナログ変換部４４に供給され、その後、ＲＦフロントエンド４６に供給されて、アンテナ４８により送信される。
【００２５】
従来の構成と同様に、ＯＦＤＭは、周波数領域においてシンボルを生成するように構成される。周波数領域では、送信するデータシンボルをサブキャリアにマッピングする。サブキャリアは、逆フーリエ変換を用いて時間領域に変換される。逆フーリエ変換は、ＯＦＤＭ変調部３８の一部を構成してもよい。このようにして、送信するデータは周波数領域において形成され、時間領域において送信される。図３に示すように、各時間領域シンボルは、継続時間Ｔｕ秒の有効部分と、継続時間Ｔｇ秒のガードインターバルとによって生成される。ガードインターバルは、時間領域における継続時間Ｔｇを有するシンボルの有効部分の一部をコピーすることにより生成される。ただし、コピーされた部分は、シンボルの端部から生成されてもよい。時間領域シンボルの有効部分をガードインターバルと相関させることにより、ＯＦＤＭシンボルの有効部分の開始部分を検出するように受信装置を構成することができる。この開始部分を起点として、高速フーリエ変換により、時間領域シンボルのサンプルを周波数領域に変換することができる。当該周波数領域から、送信データを復元することができる。このような受信装置を図４に示す。
【００２６】
図４において、受信アンテナ５０は、チューナ５２を通過して、ガードインターバルがガードインターバル除去部５６により除去される前に、アナログ／デジタル変換部５４によりデジタル信号に変換されたＲＦ信号を検出するように構成される。
高速フーリエ変換（ＦＦＴ）を行うために最適な位置を検出し、時間領域のサンプルを周波数領域に変換した後、ＦＦＴ部５８は、時間領域のサンプルを変換して周波数領域のサンプルを形成する。当該サンプルは、チャネル推定及び補正部６０に供給される。チャネル推定及び補正部６０は、例えば、ＯＦＤＭシンボルに埋め込まれたパイロットサブキャリアを用いて、等化に使用される送信チャネルを推定する。パイロットサブキャリアを除外した後、データを含む全てのサブキャリアは、デマッパ部６２に供給される。デマッパ部６２は、  ＯＦＤＭシンボルのサブキャリアからデータビットを抽出する。これらデータビットは、その後、サブキャリアシンボルをデインターリーブするデインターリーバ６４に供給される。データビットは、その後、ビットデインターリーバ６６に供給される。ビットデインターリーバ６６は、誤り訂正デコーダが従来の動作に従って誤りを訂正できるようにデインターリーブを行う。
【００２７】
フレーミング構造
図５は、図１〜４を参照して説明したシステムにおいて送受信することができるフレームのフレーミング構造の概略図を示す。図５は、異なる物理層フレーム１００、１０２、及び１１２を示し、そのうちいくつかはモバイル受信を対象とし、その他は固定ルーフトップアンテナ受信を対象とする。
【００２８】
したがって、図５に示すフレーミング構造は、異なるパラメータを用いて変調及び符号化されるペイロードデータをそれぞれ含むことができるフレームによって特徴付けられる。これには、例えば、シンボル毎に異なる数のサブキャリアを有する異なるＯＦＤＭシンボルタイプを使用することが含まれる。当該ＯＦＤＭシンボルタイプは、受信装置の種類毎に異なるフレームを提供することができるため、異なる変調方式により変調することができる。しかし、各フレームは、ペイロードデータを伝送する１つ以上のＯＦＤＭシンボルとは異なる方式で変調された、シグナリング情報を伝送する少なくとも１つのＯＦＤＭシンボルを含むことができる。さらに、各フレームについて、シグナリングＯＦＤＭシンボルは、ペイロードデータを伝送するＯＦＤＭシンボルとは異なるタイプのものであってもよい。ペイロードデータを復調及び復号できるように、シグナリング情報を復元する必要がある。
【００２９】
ブートストラップ信号
［１］に記載のように、ブートストラップ信号は、ＡＴＳＣ波形にユニバーサルエントリポイントを提供する。ブートストラップ信号は、受信装置においてサンプリングレート、信号帯域、サブキャリア間隔、及び時間領域構造が事前に知られているという既知の構成を有する。図６は、図５に示すデータ伝送フレームに対して、ブートストラップ信号を含むＡＴＳＣ３．０物理層フレームの採用されたフレーム構造の形式を示す概略図である。フレームの長さは５秒とすることができ、以下を含む。
・非常に安定した方法で基本的なシステム取得シグナリングを伝送する４つの短いＯＦＤＭシンボルから構成されるブートストラップ。最後のブートストラップシンボルであることを示すように、最後のブートストラップシンボルの位相は反転されている。
・１つ以上のＯＦＤＭシンボルから構成され、フレームの全てのサブフレームについて、  ポストプリアンブル波形パラメータとペイロードアクセスパラメータとを含む物理層（Ｌ１）シグナリングを伝送するプリアンブル。
・ポストプリアンブル波形は、通知された数のサブフレームを含む。各サブフレームは、物理層パイプ、すなわち、ＰＬＰに分割されたサービスを含むペイロードを伝送する。各サブフレームは、特定のＦＦＴサイズを有する通知された数のＯＦＤＭシンボルと、ガードインターバルと、散乱パイロットパターンとを含む。ＦＦＴサイズは、サブフレーム間で異なっていてもよい。
【００３０】
ブートストラップは、フレームの第１のプリアンブルシンボルの構造についてのいくつかのシグナリングを含むシグナリングを伝送する。この第１のプリアンブルシンボルは、残りのプリアンブルシンボルで伝送される残りのシグナリング情報の構造についてのシグナリングを伝送する。
【００３１】
図６に示すように、ブートストラップ信号６００は、データ保持フレーム１００、１０２、及び１１２に先行する。ブートストラップ信号６００は、プリアンブル１０４、１０６、１０８、及び１１０の一部を構成してもよい。上述のように、ブートストラップ信号は、サービス発見、粗時間同期、周波数オフセット推定、及び初期チャネル推定を可能にするために各フレームの先頭に位置する同期シンボル６０１で始まる４つ以上のＯＦＤＭシンボル６０１、６０２、６０３、及び６０４から構成される。他の残りのブートストラップＯＦＤＭシンボル６０２、６０３、及び６０４は、フレームの残りの部分について受信信号を復号することを可能にする通信パラメータを提供するのに十分な制御シグナリングを含む。したがって、ブートストラップ信号６００は、受信装置がパラメータを発見することを可能にするために、シグナリング情報を伝送する。受信装置がこのデータを検出及び復元できるように、データ保持フレームは、当該パラメータにより構成されている。以下に説明するように、本技術の例示的な実施形態によれば、シグナリング情報は、一例では、ＴｘＩＤの指示を提供することができる。
【００３２】
ブートストラップ信号符号化
ブートストラップ信号６００を送信するように構成された図２に示す送信装置の一部の概略ブロック図を図７に示す。図７において、シグネチャ系列生成部７００は、サブキャリアマッピング及びゼロパディング部７０２によりブートストラップシンボル６００を構成するＯＦＤＭシンボルのサブキャリアにマッピングされるシグネチャ系列を生成するように構成される。周波数領域信号は、その後、逆フーリエ変換７０４によって時間領域に変換される。ブートストラップ信号で送信されるシグナリング情報は、第１の入力７０５で巡回シフト部７０６に供給される。巡回シフト部７０６は、第２の入力７０７で、ブートストラップシンボルを表す時間領域ＯＦＤＭも受信する。以下に説明するように、シグナリング情報に従ったブートストラップＯＦＤＭシンボルの巡回シフト量は、時間領域におけるブートストラップＯＦＤＭシンボルに適用される。一実施形態では、放送送信装置のＴｘＩＤにより、この巡回シフト量が決定される。したがって、ブートストラップシンボルは、それに適用された  巡回シフト量を介してシグナリング情報を伝送する。巡回的にシフトされたブートストラップＯＦＤＭシンボルは、その後、ガードインターバル挿入部７０８に供給される。ガードインターバル挿入部７０８は、ブートストラップシンボルのＯＦＤＭシンボル形成が送信部７０９により送信される形式で、ガードインターバルをブートストラップＯＦＤＭシンボルに追加する。
【００３３】
図７に示すように、シグネチャ系列生成部７００は、擬似ランダム系列生成部７１０とＺａｄｏｆｆ−Ｃｈｕ系列生成部７１２とを含むシグネチャ系列を生成する。これら２つの系列は、乗算部７１４によって乗算され、乗算された系列がサブキャリアマッピング及びゼロパディング部７０２によりＯＦＤＭシンボルのサブキャリアにマッピングされる。図７に示すように、擬似ランダム数生成部７１０のシード値は第１の入力７２０で供給され、第２の入力７２２はＺａｄｏｆｆ−Ｃｈｕ系列生成部７１２のルートの指示を提供する。
【００３４】
ＯＦＤＭシンボル上にシグネチャ系列を対称的に形成するための擬似ランダムバイポーラ系列により変調されたＺａｄｏｆｆ−Ｃｈｕ（ＺＣ）系列のマッピングを図８に示す。
【００３５】
図８に示すように、周波数領域において、ブートストラップ信号は対称Ｚａｄｏｆｆ−Ｃｈｕ（ＺＣ）系列の２等分８１０を含むものと見なすことができる。Ｚａｄｏｆｆ−Ｃｈｕ系列における各シンボルは、アクティブキャリア８１２を変調するように構成される。これに対応して、ＰＮ系列は、線８１４に示すようなサブキャリアを変調するように構成される。ブートストラップシンボルの他のサブキャリアは使用されないので、例えば、ブートストラップ信号８２０及び８２２の端部に示すように、ゼロに設定される。
【００３６】
図８に示すように、ＺＣ系列及びＰＮ系列は、ＯＦＤＭシンボルの中心ＤＣサブキャリアに対して鏡映対称となるようにＯＦＤＭサブキャリアにマッピングされる。ブートストラップ（０≦ｎ＜ＮＢ）のｎ番目のシンボルのサブキャリア値は、以下の式のように算出することができる。ただし、ＮＨ＝（ＮＺＣ−１）／２であり、ＮＢはブートストラップシンボルの数であり、ｐ（ｋ）はＰＮ系列の要素である。そのルートｑによって決定されるＺＣ系列は、各シンボルについて同一であってもよいが、ＰＮ系列は各シンボルとともに増加する。
【式１】
【００３７】
2019506810.tif 000003
【式２】
【００３８】
2019506810.tif 000004
【００３９】
最後のブートストラップシンボルは、その特定のシンボルのサブキャリア値の位相が反転する（例えば、１８０°回転）これにより、ブートストラップ信号の明確な終わりの指示が提供される。これは、別のブートストラップＯＦＤＭシンボルがある場合に提供され、この場合、受信装置は、最後のブートストラップＯＦＤＭシンボルの明確な指示を提供される。すなわち、任意の数のブートストラップＯＦＤＭシンボルを使用することができる。したがって、受信装置は、位相反転を検出することができるので、ブートストラップ信号の終わりを検出することができる。
【式３】
【００４０】
2019506810.tif 000005
【００４１】
一例では、時間領域におけるシンボルのデータ決定巡回シフトを行うことにより、ブートストラップ信号においてシグナリング情報を伝送することができる。これは、図７に示す巡回シフトブロックにより行われる。シグナリングビットを伝送するための処理を図９にまとめて示す。
【００４２】
図９において、ステップＳ９００で、系列生成部７００によりシグネチャ系列が周波数領域に形成される。ステップＳ９０２において、逆フーリエ変換がＩＦＦＴモジュール７０４によって行われ、周波数領域信号が時間領域に変換される。このようにして、ステップＳ９０４において、当該系列が時間領域に形成される。ステップＳ９０６に示すように、シグナリングビットが形成され、その後、ステップＳ９０８において前回のブートストラップシンボルの巡回シフトに対する相対的な巡回シフト値として解釈される。ステップＳ９１０において、当該相対的なシフト値は、絶対的なシフト値に変換される。一実施形態では、第１のブートストラップシンボルは、巡回シフトされていない、すなわち、その相対巡回シフト量はゼロである。矢印Ｓ９１２に示すように、ステップＳ９０４で形成された時間領域系列は、その後、ステップＳ９１０で決定された絶対的な巡回シフトに従ってシフトされる。最後に、ステップＳ９１４において、送信する時間領域系列が生成される。
【００４３】
時間領域構造
ブートストラップＯＦＤＭシンボル６０１、６０２、６０３、及び６０４は、それぞれ、Ａ、Ｂ、及びＣと呼ぶ３つの部分から構成されるものと解釈することができる。上述のように、ＯＦＤＭシンボルは、通常、受信装置におけるマルチパス受信を考慮するために、時間領域におけるＯＦＤＭシンボルの区間をコピーすることで生成されるガードインターバルをＯＦＤＭシンボルに対するプリアンブルとして形成される。各ブートストラップシンボルは、２つの方法のうちの１つの方法で形成される。時間領域において異なる方法により形成したブートストラップシンボルを図１０及び図１１に示す。図１０及び図１１に示すように、ガードインターバルが追加される前のＯＦＤＭシンボルの元の構成であるシンボルのデータ伝送部分が区間Ａとして表されている。したがって、区間Ａは、ブートストラップシンボルによって伝送されるシグナリングビットを表すために、上述の巡回シフトを有する又は有しない周波数領域構造のＩＦＦＴとして導出される。区間Ｂ及びＣは、送信装置によってＢのサンプルに導入されるサブキャリア間隔に等しい±ｆΔの周波数シフトにより、Ａの終わりから取り出されたサンプルから構成され、これに対応して、受信装置で除去される。各ブートストラップシンボルは、一貫して３０７２のサンプルからなる。
【００４４】
Ｃ−Ａ−Ｂ及びＢ−Ｃ−Ａと呼ばれるブートストラップシンボルの時間領域構造には、２つのバリエーションがある。ブートストラップシンボルゼロと呼ばれるブートストラップの初期シンボルは、同期検出のために提供され、図１０に示すＣ−Ａ−Ｂ構造を採用し、区間Ｂに+ｆΔの周波数シフトを適用する。残りのブートストラップシンボルは、上述のようなブートストラップ信号の終端を提供する位相反転を伴う最後のブートストラップシンボルを含むＢ−Ｃ−Ａ構造を採用し、区間Ｂに−ｆΔの周波数シフトを適用する。
【００４５】
ブートストラップに基づくＴｘＩＤ
本技術の例示的な実施形態によれば、ＴｘＩＤを伝送するように構成された追加のブートストラップシンボルが導入される。例示的な実施形態に係るブートストラップ信号の構成例を図１２に示す。図１２に示すように、追加のブートストラップシンボル６１０は、第４のブートストラップ６０４と第１のプリアンブルシンボル６２０との間で、送信される。この第５のブートストラップシンボル６１０は、従来のブートストラップシンボル６０１、６０２、６０３、及び６０４として同一のＺＣ及びＰＮ系列を使用して、第２及び第３のブートストラップシンボル６０２及び６０３と同様に構成される。第４のブートストラップシンボル６０４の位相を再反転させ、この第５のＴｘＩＤブートストラップシンボル６１０の位相を反転させてこれが最後のブートストラップシンボルであることを通知することにより、その存在が通知される。
【００４６】
２５６個以下の異なるＴｘＩＤを識別する必要があると仮定すると、このＴｘＩＤブートストラップシンボルは、送信装置の識別情報の８ビット値まで伝送しなければならない。このシグナリング情報は符号化され、シグナリング情報が一般的に他のブートストラップシンボル［１］６０２、６０３、及び６０４により伝送されるのと同様に、追加のブートストラップシンボル６１０により伝送される。
【００４７】
他の実施形態では、例えば、所与のネットワークにおいて２５７個以上のＴｘＩＤ値を通知する必要がある場合、複数のＴｘＩＤブートストラップシンボル６１０を追加することができる。この例示的な実施形態では、最後のＴｘＩＤブートストラップシンボルのみが、ＴｘＩＤブートストラップシグナリングの終わりを示す反転位相を有するので、他の全てのＴｘＩＤブートストラップシンボルの位相は反転されない。この例示的な実施形態では、第１のＴｘＩＤブートストラップシンボル６１０は、ＴｘＩＤの８個の最上位ビットを伝送し、第２のＴｘＩＤブートストラップシンボルは、ＴｘＩＤの次の８個の最上位ビットを伝送する。したがって、ｍ個のＴｘＩＤブートストラップシンボルでは、各ＴｘＩＤが最大８ｍビットであり、２８ｍのＴｘＩＤを通知することができる。
【００４８】
他の実施形態では、各ＴｘＩＤブートストラップシンボルが伝送するビット数を８ビット未満にすることができる。
【００４９】
特別又は追加のＯＦＤＭシンボルに基づくＴｘＩＤ
他の例示的な実施形態によれば、ＯＦＤＭシンボルは、図６に示すＡＴＳＣ３．０のフレーム構造の表現に対応するが特別又は追加のＯＦＤＭシンボル１３０１を含むように適合された図１３ａ及び図１３ｂに示すＴｘＩＤを伝送するように構成される。当該ＯＦＤＭシンボルは、フレーム１００、１０２、及び１１２からペイロードデータを検出するためのシグナリング情報に加えて、ＴｘＩＤを伝送するために専用化されていてもよく、又はＴｘＩＤを伝送するように構成されてもよい。図１３ａに示す例では、このＯＦＤＭシンボル１３０１は、フレーム構造のプリアンブル１０４、１０６、１０８、及び１１０の一部を構成するＯＦＤＭシンボル６２０、６２１、及び６２４の最後にある。図１３ｂに示す他の例では、特別又は追加のＯＦＤＭシンボル１３０２は、フレーム１００、１０２、及び１１２を検出するためのシグナリング情報を伝送するＯＦＤＭシンボル６２０、６２１、及び６２４の最初にあるか、又は、ＴｘＩＤを伝送するために専用化されてもよい。
【００５０】
図１４は、ＴｘＩＤの一部を構成するシグナリング情報を伝送する追加のＯＦＤＭシンボル１３０１及び１３０２を生成するように適合された図２に示す送信装置の一部を構成する要素の例示的なブロック図である。図１４に示す送信装置は、図７に示す送信装置の一部に実質的に対応するので、対応する部分には同一の参照符号を付してある。図１４に示すように、シグネチャ系列は、Ｚａｄｏｆｆ−Ｃｈｕ（ＺＣ）系列７１２、乗算部１４１０、及びゴールド系列生成部１４１２により生成される。図１４に示すように、シグネチャ系列は、乗算部１４１０によって生成された、ゴールド系列生成部１４２によって生成されたバイポーラゴールド系列と、ＺＣ生成部１４１２によって生成されたＣＡＺＡＣ又はＺａｄｏｆｆ−Ｃｈｕ（ＺＣ）とのドット積に基づいて生成される。乗算された系列は、（ＺＣ＊ＧＳ）シグネチャ系列と呼ばれる。ＴｘＩＤ生成部１４１４から供給された特定の送信装置のためのＴｘＩＤは、ゴールド系列の選択により伝送される。ＴｘＩＤ生成部１４１４から供給された選択信号により、ゴールド系列生成部１４１２において、（ＺＣ＊ＧＳ）シグネチャ系列を生成するのに使用されるゴールド系列が選択される。その後、シグネチャ系列を使用して、プリアンブルの最後のＯＦＤＭシンボルを構成するＯＦＤＭシンボル１３０１を変調する。したがって、このＯＦＤＭシンボルは、ＴｘＩＤ生成部によって選択された特定のゴールド系列からのＴｘＩＤを表す。
【００５１】
図１３ａ及び図１３ｂに示すように、ＴｘＩＤのＯＦＤＭシンボルは、フレーム内の以下の２つの場所のいずれかに配置することができる。
・図１３ｂに示すように最後のフレームを通知するブートストラップシンボルの直後。この場合、その存在は、最後のフレームを通知するブートストラップシンボル６０４の位相の再反転により通知される。また、このシンボルの波形パラメータは、ブートストラップシンボルを介して通知される第１のプリアンブルシンボル波形の構造と同一である。
・図１３ａに示す最後のプリアンブルシンボル６０４の直後。この場合、その存在及び波形の構造は、プリアンブルによって伝送されるＬ１シグナリングにおいて通知される。
上述のように、いくつかの例では、Ｑ＜（１−Ｑ）であり、Ｑがゼロに非常に近い同時係属中の特許出願第ＷＯ２０１４／１５５１０４に開示されているように、ＴｘＩＤのＯＦＤＭシンボルが電力比Ｑに寄与し、プリアンブルシンボルが（１−Ｑ）に寄与するような適切な注入レベルＧで、ＴｘＩＤ又は（ＺＣ＊ＧＳ）シグネチャ系列をプリアンブルシンボル６２０、６２１、及び６２４のうちの１つに重畳することができる。
【００５２】
ＴｘＩＤシンボル波形のパラメータ（ＦＦＴサイズ、ガードインターバル、及びベースバンドサンプリングレート）は、他のプリアンブルシンボル６２０、６２１、及び６２４を構成するものと同様である。したがって、他のプリアンブルシンボル６２０、６２１、及び６２４と同様に、ＴｘＩＤシンボルは、任意のＦＦＴサイズ（８Ｋ、１６Ｋ、及び３２Ｋ）、［４］の表７．１における任意の許容数のアクティブキャリア（ＮｏＣ）、及びプリアンブルシンボルと同一のガードインターバル期間を有することができる。一般的な実施形態では、望ましいＮｏＣは、８Ｋ、１６Ｋ、及び３２ＫのＦＦＴサイズについて、それぞれ、最小値の｛６５２９、１３０５７、及び２６１１３｝である。
【００５３】
一実施形態では、８Ｋのシンボルを選択してもよい。８Ｋのシンボルにより、ＴｘＩＤを伝送する追加のＯＦＤＭシンボルを含むことによるペイロード容量の損失とシグネチャ系列の長さとの間の選択のバランスがとれるからである。シグネチャ系列は、ＴｘＩＤ検出部に広いダイナミックレンジを提供するために十分な長さでなければならない。ＴｘＩＤのＯＦＤＭシンボルを使用すると、以下の利点がある。
・その構造に使用される長い系列（６５２９チップ長）により、検出部にとって広いダイナミックレンジがもたらされる。これは、検出部の位置においてその信号がとても弱い送信装置でも検出できることを意味する。
・基礎となるＺＣ系列の自己相関特性によりＴｘＩＤ検出性能が改善するが、所与の送信装置によるチャネルインパルス応答の正確な推定も可能になる。
・このＴｘＩＤのＯＦＤＭシンボルが時間的に直交している（例えば、専用の追加ＯＦＤＭシンボル１３０１及び１３０２のように他の信号に重畳していない）実施形態では、周波数オフセット及びタイミングオフセットの存在下で、その検出を非常に容易に行うことができる。これにより、正確な周波数オフセット補正等の有無にかかわらず、周波数領域又は時間領域のいずれかにおいて、検出部の機能に柔軟性を持たせることができる。また、これにより、スタンドアローンのＴｘＩＤ検出部は、事前のフレーム同期を必要とせずに動作することができる。
・（ＺＣ＊ＧＳ）シグネチャの相互相関特性により、受信装置における異なるＴｘＩＤの分離が改善される。
【００５４】
上述のように、各ＴｘＩＤに対する（ＺＣ＊ＧＳ）シグネチャ系列は、ゴールド系列とＺＣ系列とのドット積である。ゴールド系列は、排他的論理和をとった２つの擬似ランダムバイナリ系列（ＰＲＢＳ）からなる。ＰＲＢＳ系列は、以下の生成多項式を用いて生成される。生成部は、図１５に示すフィードバックシフトレジスタ回路を用いて実現することができる。
【式４】
【００５５】
2019506810.tif 000006
【００５６】
図１５に示すように、上段及び下段のＰＲＢＳ系列生成部１５０１及び１５０２は、それぞれ、複数のシフトレジスタ段１５０４、ＸＯＲ回路１５０６、及び最終ＸＯＲ回路１５０８を含む。「Ｂｉｎ２Ｂｉｐ」ブロック１５１０は、最終ＸＯＲ段のバイナリ出力をバイポーラ系列に変換する。
【００５７】
各ＴｘＩＤがその表現にＮｂ＝１６ビットを必要とする場合、２つのシフトレジスタは、それぞれ、特定の送信装置基地局のバイナリバージョンのＴｘＩＤで初期化される。ＴｘＩＤを表現するビット数Ｎｂ＜１６の場合、各シフトレジスタの（１６−Ｎｂ）の最下位ビットはゼロで初期化され、Ｎｂの最上位ビットは、放送送信装置のＴｘＩＤで初期化される。その後、レジスタは、ＮｏＣ回クロックされる。ただし、ＮｏＣは、ＴｘＩＤシンボル又はＺＣ系列の長さのために選択された有用なＯＦＤＭサブキャリアの数である。
【００５８】
ＺＣ系列Ｚｑ（ｎ）は、以下のように定義される。
【式５】
【００５９】
2019506810.tif 000007
【００６０】
ｑの値は、ＺＣ系列のルートとして知られており、ＮｏＣの値と互いに素であることが望ましい。値ｑ＝１３は、理想的な全てのＮｏＣ値に対して互いに素である。したがって、ｑ  ＝１３であり、プリアンブルシンボルのＦＦＴサイズが８Ｋ、１６Ｋ、それとも３２Ｋであるかに応じてＮｏＣは、｛６５２９、１３０５７、及び２６１１３｝のうちの１つとなる。
【００６１】
ブートストラップに基づくＴｘＩＤの検出
背景技術の説明として、フレームシグナリングブートストラップシンボルを検出及び復号化するための方法が、同時係属中の特許出願［２］に記載されている。一般に、ブートストラップ信号６００からシグナリング情報を検出するための簡略化された受信装置を図１６に示す。図１６の上部は、Ｃ−Ａ−Ｂ相関部を利用する第１のブートストラップシンボルの検出及び検証を示す。検証処理中に、サブビン又は分数周波数オフセット（ＦＦＯ）と共に、整数周波数オフセット（ＩＦＯ）も推定される。これらのオフセットは合計され、正弦波を生成するために使用される。正弦波は、入力信号の周波数オフセットを補正する手段として、以下のブートストラップシンボルを構成する入力信号サンプルと乗算される。その後、当該信号は、ブートストラップシンボルの残りの部分を順に処理するブロックに渡され、シンボルの巡回シフトを推定する。これは、ブートストラップシンボルが伝送するシグナリング値を表す。
【００６２】
ブートストラップ信号を検出するために動作しているときの図４に示す受信装置の適応を示す概略ブロック図を図１６に示す。図４に示すように、アンテナ５０により検出された信号は、ＲＦチューナ５２に供給され、それからＡ／Ｄ変換部５４に供給される。デジタルサンプリングされた受信信号は、その後、プレフィックス除去回路１６３０の後に順方向フーリエ変換プロセッサ５８に供給される。デジタルサンプリングされた受信信号は、乗算部１６０２にも供給される。ＣＡＢブートストラップ検出部１６０４は、受信信号の最も有用な部分を識別するために、チャネル１６０８を介してＦＦＴプロセッサ５８に供給されるタイミングトリガ信号を生成する。タイミングトリガ信号は、受信ＯＦＤＭブートストラップシンボルのエネルギーを可能な限り多く補足するように、ＦＦＴプロセッサ５８によって周波数領域に変換された受信ＯＦＤＭシンボルの期間を示す。この信号の部分は、ＦＦＴプロセッサ５８によって時間領域から周波数領域に変換され、ブートストラップ信号を検証し、シグナリング情報を復元する。例えば、参照によりその内容の全体が本明細書に援用される同時係属中の英国特許出願第ＧＢ１５１２９４９．７号、ＧＢ１５１２９５２．１号、ＧＢ１５１２９５３．９号、ＧＢ１５１０９７９．６号、及びＧＢ１５１２９５５．４号に記載されているように、ＣＡＢブートストラップ検出部１６０４は、最初のブートストラップ信号６０１から順方向フーリエ変換を行うために、チャネル１６０７上において、トリガ信号を生成する。ＣＡＢブートストラップ検出部１６０４は、チャネル１６０７上において、分数周波数オフセット（ＦＦＯ'）の第１の推定値も生成する。ＦＦＴプロセッサ５８の出力により、周波数領域バージョンの受信信号がブートストラップ検証プロセッサ１６１０に提供される。
【００６３】
図１６に示すように、ブートストラップ検証プロセッサ１６１０は、ＯＦＤＭシンボル  サブキャリア間隔よりも小さい周波数シフトであり、ブートストラップＯＦＤＭシンボルの送信中に発生した可能性がある分数周波数オフセット（ＦＦＯ''）のより精巧な第２の推定値を第１の出力１６１４上に生成する。第２の出力チャネル１６１６上において、ブートストラップ検証プロセッサ１６１０は、整数周波数オフセット（ＩＦＯ）の推定値を生成する。
【００６４】
図１６に示す受信装置は、また、以下のブートストラップシンボルからシグナリング情報を検出及び復元するためのブートストラッププロセッサ１６０６を含む。しかし、ブートストラッププロセッサ１６０６に入力される前に、乗算部１６０２によってブートストラップシンボルを含む信号サンプルから全周波数オフセットが除去される。
【００６５】
乗算部１６０２は、サンプリングされた受信信号をＡ／Ｄ変換部５４から第１の入力１６２０で受信し、音源１６２６で生成された負の全周波数オフセットに等しい周波数の正弦波のサンプルを第２の入力１６２２で受信する。全周波数オフセットは、ブートストラップ検証プロセッサ１６１０によって推定された分数周波数オフセット（ＦＦＯ）及び整数周波数オフセット（ＩＦＯ）のうちの少なくとも１つに基づいて、加算部１６２４によって生成される。この全周波数オフセットは、音源１６２６に入力され、負の全周波数オフセットに等しい周波数において正弦波トーンを生成させる。ブートストラップ検証プロセッサ１６１０は、周波数領域サブキャリアと、ＰＮ系列で変調されたＺＣ系列から生成された再生成バージョンのシグネチャ系列とを相関させることにより、ＩＦＯを生成する。その後、相関出力のピークの位置を用いて、ＩＦＯを推定する。当該ＩＦＯは、ブートストラップ信号の周波数帯域内の周波数基準に対する多数のサブキャリアの周波数領域における変位である。したがって、全周波数オフセットは、ブートストラップ検証プロセッサ１６１０によって推定されたＦＦＯから、乗算部１６０２及び音源１６２６によって推定及び除去される。ＣＡＢ検出部は、また、チャネル１６１７上において、ＦＦＯの推定値を提供する。この値は、ＣＡＢブートストラップ検出部１６０４から出力されたＦＦＯの第１の推定値ＦＦＯ'とブートストラップ検証プロセッサ１６１０から出力されたＦＦＯの第２の推定値ＦＦＯ''とを組み合わせて、平均化部１６１３において当該２つの推定値の平均を取ることにより生成される。
【００６６】
サンプリングされた受信信号から全周波数オフセットが除去された後、当該受信信号の有用な部分は、ＦＦＴプロセッサ５８に供給されサンプリングされた受信信号及びブートストラップ信号プロセッサ１６０６のためにＣＡＢ検出部によって生成された同期及びタイミング信号を使用して、プレフィックス除去部１６３１により分離される。
【００６７】
他の実施例によれば、ブートストラップＯＦＤＭシンボルによって伝送されるシグナリング情報は、ブートストラップＯＦＤＭシンボルの巡回シフトとして伝送される送信装置識別子（ＴｘＩＤ）を含むことができる。
【００６８】
周波数オフセットは、次のブートストラップシンボルの復号化に先立って修正されるので、ＴｘＩＤを伝送するブートストラップシンボルの復号化は、比較的周波数オフセットがない信号上で行われる。これにより、検出部の性能が向上する。ＳＦＮでは、各送信局は、独自のＴｘＩＤでインプリントされたＴｘＩＤブートストラップシンボルを送信する。受信装置において、受信装置の範囲内にある全ての放送送信装置からの信号は重畳される。受信装置では、多くのＴｘＩＤ、すなわち、受信装置の位置に十分近い送信装置基地局又は受信装置位置に対して良好な伝播状態にある送信装置基地局のＴｘＩＤを伝送するＴｘＩＤブートストラップシンボルを確認できる可能性がある。図１７は、ブートストラップシンボルｎ  （ｎ＞０）によって伝送される信号の値を符号化するために使用される相対的な巡回シフトを検出するブートストラップ信号プロセッサ１６０６の例示的なブロック図を示す。
【００６９】
図１７に示すように、プレフィックス除去部１６３０の出力でプレフィックスが除去されサンプリングされた受信信号は、遅延部１７０１により、Ｎｕサンプル分遅延される。並列分岐において、サンプリングされた受信信号は、ＦＦＴ処理部１７０２に供給される。周波数領域受信信号は、各複素サンプルが共役化部１７０８によって共役された後、乗算部１７０６の第１の入力１７０４に供給される。乗算部１７０６の第２の入力１７１０は、第２のＦＦＴ処理部１７１２の出力を受信する。乗算部１７０６は、その出力において、ブートストラップシンボルｎの共役周波数領域サンプルとブートストラップシンボルｎ−１、ｎ＝１、２、…の周波数領域サンプルとのドット積を生成する。除算部１７２０は、乗算部１７０６から出力された信号を、積Ｐｎ（ｋ）＊Ｐｎ−１（ｋ）を生成する回路１７２４により生成されるブートストラップシンボルｎ及びｎ−１、ｎ＝１、２、…を生成するために使用されるＰＮ系列のドット積で除算する。除算された信号は、その後、ＩＦＦＴプロセッサ１７２６により時間領域に変換される。
【式６】
【００７０】
2019506810.tif 000008
【式７】
【００７１】
2019506810.tif 000009
【００７２】
単一周波数ネットワーク（ＳＦＮ）において、各放送送信装置は、そのＴｘＩＤをＴｘＩＤブートストラップシンボル上の個別の信号として符号化する。しかし、ＳＦＮの所与の受信場所において、受信装置への好ましい伝播を享受する全ての放送送信装置からの信号が結合される。これは、異なる送信装置から受信装置に到達するＴｘＩＤブートストラップシンボルが結合することを意味する。したがって、受信装置におけるＴｘＩＤブートストラップシンボルは、多数の値でインプリントされたように見える。これにより、図１７のＩＦＦＴの出力において、範囲内にあるＴｘＩＤ送信装置と同数のピークを確認することが可である。図１９は、２つの異なる送信装置識別子でＴｘＩＤブートストラップシンボルを送信する２つの放送送信装置について、２つのＴｘＩＤが２つのピークサンプル１９０１及び１９０２から検出されるサンプルＩＦＦＴ出力を示す図である。複数のピークが存在するため、全ての実質的なピークと関連する送信装置局の実際のＴｘＩＤを復号化するために使用される相対的な巡回シフト（それらのサンプル番号）とを選択しなければならない。
【式８】
【００７３】
2019506810.tif 000010
【式９】
【００７４】
2019506810.tif 000011
【００７５】
したがって、センタクリッピングの効果により、Ｃより小さい全てのサンプル振幅をゼロに設定され、これにより、元の信号の重要なピークであるサンプルのみが維持される。Ｃが信号の雑音レベル、又は真のピークではない全てのサンプルの振幅レベルを上回るように慎重に選択された場合、ピークサンプルのみがクリッピング後に非ゼロになる。
【００７６】
一実施形態では、Ｃは以下のように計算される。
【式１０】
【００７７】
2019506810.tif 000012
【００７８】
すなわち、ＩＦＦＴ出力信号のβスケーリングされた二乗平均平方根（ＲＭＳ）の値である。スケール因子βは実験的に決定することができ、その値により、検出部のダイナミックレンジ、すなわち、受信装置における検出可能な最も強い電力対検出可能な最も弱い信号が決定される。
【式１１】
【００７９】
2019506810.tif 000013
【式１２】
【００８０】
2019506810.tif 000014
【式１３】
【００８１】
2019506810.tif 000015
【００８２】
ＴＸＩＤに基づく特別なＯＦＤＭシンボルの検出
上述のように、例示的な実施形態によれば、周波数領域におけるシグネチャ系列によって変調されたＯＦＤＭシンボル１３０１により、ＴｘＩＤを伝送することができる。一般的に、ＺＣ系列のスペクトルもＺＣ系列であり、その逆も同様である。これは、時間領域及び周波数領域の両方でＴｘＩＤのＯＦＤＭシンボルを検出できることを意味する。図２０は、時間領域における受信信号においてＴｘＩＤを検出するように適合された受信装置の例示的な図である。一方、図２１は、周波数領域におけるＴｘＩＤを検出するように適合された受信装置の例示的な図である。
【００８３】
図２０に示すように、時間領域検出を行う受信装置の例示的な実施形態によれば、そのインパルス応答が変調シグネチャ系列のＩＦＦＴに適合する有限インパルス応答（ＦＩＲ）フィルタ２００１を用いて、ＴｘＩＤのＯＦＤＭシンボル１３０１を検出することができる。受信信号内の全てのＴｘＩＤを見つけるために、フィルタ応答は、あり得るＴｘＩＤシグネチャ系列のＩＦＦＴに順番に適合される。これらは、ＴｘＩＤ時間系列ルックアップテーブル２００２から提供される。いずれの場合も、マッチドフィルタ２００１の出力における実質的なピークの存在により、適合するシグネチャ系列によって表されるＴｘＩＤの存在が確認される。見つかった各ＴｘＩＤについて、ピークプロセッサ２００４を用いて、フィルタ２００１の出力を後処理することもできる。ピークプロセッサ２００４は、例えば、特定の送信装置から受信装置への出力チャネル２００６において推定されたチャネルインパルス応答（ＣＩＲ）を共に与える重要なピークを呈するセンタクリッパを含むことができる。ピークプロセッサ２００４は、また、第２の出力チャネル２００８において、正の検出を示す信号を提示する。当該信号は、ゲート２０１２の制御入力２０１０に印加され、ＦＩＲフィルタ２００１に供給され現在選択されている多数の時間領域系列に対応する入力２０１４で提示されたＴｘＩＤの識別子をラッチし、正の検出を生成する。したがって、ゲート２０１２は、出力２０１６において、ＴｘＩＤの指示を生成する。
【００８４】
周波数領域におけるＯＦＤＭシンボル１３０１からＴｘＩＤを検出するように構成された受信装置の一例を図２１に示す。図２１において、受信装置は、ＦＦＴプロセッサ２１０２において、ダウンコンバートされサンプリングされたデジタル信号を入力チャネル２１０１で受信する。ＦＦＴウィンドウは、最後のブートストラップシンボル又はプリアンブルシンボルの終わりからＴｘＩＤのＯＦＤＭシンボルガードインターバルのサンプルを計数する等の事前の同期処理により、決定される。受信信号は、ＦＦＴプロセッサ２１０２によって適用される順方向フーリエ変換により、周波数領域に変換され、ＴｘＩＤ検証ブロック２１０４に供給される。ＴｘＩＤ検証ブロック２１０４は、受信したシンボルスペクトルと全ての変調シグネチャ系列とを順番に相互相関させ、相互相関のピークを検出することにより、特定のＴｘＩＤ変調シグネチャ系列の存在を検出することができる。この目的のために、受信装置は、送信装置で選択された可能性がある各ＴｘＩＤを表す周波数領域バージョンのあり得る各シグネチャ系列を提供するＴｘＩＤ周波数領域ルックアップテーブル２１０６を含む。したがって、ＴｘＩＤ検証ブロック２１０４は、チャネル２１０８を介して各周波数領域シグネチャ系列を順番に受信する。ＴｘＩＤ検証ブロック２１０４は、各周波数領域シグネチャ系列と周波数領域受信信号とを相互相関させる。ピークが見つかると、ＴｘＩＤ検証ブロックは、チャネル２１１０上において検証出力信号を生成し、周波数領域におけるシグネチャ系列を伝送するＯＦＤＭシンボルの受信信号成分が、第２の出力チャネル２１１２上において、除算部２１１４に供給される。除算部２１１４の出力において、送信装置から受信装置へのチャネル伝達関数の表現が生成され、その後、ＩＦＦＴプロセッサ２１１６が逆フーリエ変換によりチャネルインパルス応答を生成することにより、時間領域に変換される。すなわち、チャネルインパルス応答は、受信シンボルスペクトルをシグネチャ系列で除算し、以下のように、その結果のＩＦＦＴを取ることにより推定される。
【式１４】
【００８５】
2019506810.tif 000016
【００８６】
ただし、Ｒ（ｋ）及びＣｍ（ｋ）は、それぞれ、受信したＴｘＩＤシンボルのスペクトル及び送信局ｍについてのＴｘＩＤシグネチャ系列であり、ＮはＴｘＩＤシンボルのＦＦＴサイズの長さである。制御入力２１１０において正の検証信号が提示された場合、選択ブロック２１１８を用いて、出力２１２０にチャネルインパルス応答を供給する。並行して、正の検出信号をチャネル２１１０からゲート２１２２の制御入力に供給し、出力２１２４に検出されたＴｘＩＤを表すＬＵＴインデックスの指示をラッチする。
【００８７】
以下の番号の付いた段落は、本技術のさらなる例示的な態様及び特徴を定義する。
【００８８】
本技術の様々なさらなる態様及び特徴は、添付の特許請求の範囲において定義され、従属請求項の特徴を、請求項の従属のために列挙した特定の組み合わせ以外の独立請求項の特徴と様々に組み合わせることができる。本技術の範囲を逸脱しない範囲で、上述の実施形態に変更を加えてもよい。例えば、実施形態の処理要素は、ハードウェア、ソフトウェア、及びデジタル又はアナログ回路で実施してもよい。さらに、ある特徴が特定の実施形態に関連しているように記載されていても、本技術に従って上述の実施形態の様々な特徴を組み合わせてもよいことが当業者に理解されよう。
【００８９】
[1]    ATSC Candidate Standard: System Discovery and Signalling (Doc. A/321 Part 1), Document S32-231r4, 6 May 2015
[2]    EN 302 755 V1.3.1, Frame structure channel coding and modulation for a second generation digital terrestrial television broadcasting system (DVB-T2), April 2012
[3]    WO2014/155104
[4]    ATSC Candidate Standard: Physical Layer Protocol  (Doc. A/322 ), Advanced Television Systems Committee, Jan 18, 2016.
[5]    WO2014/155063
[6]    GB 1512949.7
[7]    GB 1512952.1
[8]    GB 1512953.9 
[9]    GB 1510979.6
[10]    GB 1512955.4
【図１】
2019506810.tif 000017
【図２】
2019506810.tif 000018
【図３】
2019506810.tif 000019
【図４】
2019506810.tif 000020
【図５】
2019506810.tif 000021
【図６】
2019506810.tif 000022
【図７】
2019506810.tif 000023
【図８】
2019506810.tif 000024
【図９】
2019506810.tif 000025
【図１０】
2019506810.tif 000026
【図１１】
2019506810.tif 000027
【図１２】
2019506810.tif 000028
【図１３ａ】
2019506810.tif 000029
【図１３ｂ】
2019506810.tif 000030
【図１４】
2019506810.tif 000031
【図１５】
2019506810.tif 000032
【図１６】
2019506810.tif 000033
【図１７】
2019506810.tif 000034
【図１８】
2019506810.tif 000035
【図１９】
2019506810.tif 000036
【図２０】
2019506810.tif 000037
【図２１】
2019506810.tif 000038
【国際調査報告】
2019506810.tif 000039
2019506810.tif 000040
2019506810.tif 000041